(57)【要約】【課題】ディスクカートリッジのシャッタの開閉操作を確実に行う。【解決手段】ベース６６に取り付けられた第１の係合部材７５及び第２の係合部材７９の先端部を、それぞれケース５１の一側面に沿った方向と直交する方向に移動可能な状態に加えて、ケース５１の一側面に沿った方向に揺動可能な状態とすることで、ベース６６がケース５１の一側面に沿って相対移動された際のケース５１の一側面から外部に臨むインナーロータ１０１側の第１の被係合部１１０及び第２の被係合部１０８に対するベース６６側の第１の係合部材７５及び第２の係合部材７９の係合状態を長く保つと共に、係合及び離脱時に先端部に加わる負荷を低減させる。【選択図】  図１４
2004310892.tif 000002
【特許請求の範囲】
【請求項１】
ケース内に、ディスク状記録媒体と、インナーロータと、シャッタとを有し、インナーロータの回転によってシャッタがケースの開口部を開閉するディスクカートリッジの、上記インナーロータを回動させることによって上記シャッタの開閉操作を行うシャッタ開閉機構であって、
上記ケースの一側面に沿って相対移動されるベースと、
上記ベースの一端側に取り付けられ、上記シャッタの閉塞時に上記ケースの一側面から外部に臨む上記インナーロータの外周部に設けられた第１の被係合部と係合される第１の係合部材と、
上記ベースの他端側に取り付けられ、上記シャッタの開放時に上記ケースの一側面から外部に臨む上記インナーロータの外周部に設けられた第２の被係合部と係合される第２の係合部材と、
上記ベースの上記第１の係合部材と上記第２の係合部材との間に取り付けられ、上記インナーロータの上記第１の被係合部と上記第２の被係合部との間の外周部に所定の領域に亘って設けられたギヤ部と噛合されるラック部材とを備え、
上記第１の係合部材及び上記第２の係合部材は、その先端部が上記ケースの一側面に沿った方向と直交する方向に移動可能な状態、且つ、上記ケースの一側面に沿った方向に揺動可能な状態で、上記ベースに取り付けられていることを特徴とするシャッタ開閉機構。
【請求項２】
線材が巻回された巻回部が上記ベースに保持されると共に、前記巻回部から延長された線材の両端部のうち、一端部が上記ベースに係止され、他端部が上記ケースの一側面に沿った方向と直交する方向に弾性変位可能とされた第１の捻りコイルバネ及び第２の捻りコイルバネを備え、
上記第１の係合部材及び上記第２の係合部材は、上記ベースに設けられた保持部に保持されると共に、その先端部が保持部から上記ケースの一側面に向かって突出した状態で、その基端部が上記第１の捻りコイルバネ及び上記第２の捻りコイルバネの他端部に付勢された状態で支持されることによって、その先端部が上記ケースの一側面に沿った方向と直交する方向に移動可能な状態、且つ、上記ケースの一側面に沿った方向に揺動可能な状態で、上記ベースに取り付けられていることを特徴とする請求項１記載のシャッタ開閉機構。
【請求項３】
上記ラック部材は、上記ケースの一側面に沿った方向と直交する方向に移動可能な状態で、上記ベースに取り付けられていることを特徴とする請求項１記載のシャッタ開閉機構。
【請求項４】
上記ラック部材を上記ケースの一側面に向かって付勢する付勢手段を備え、
上記ラック部材は、上記ベースに設けられた保持部に保持されると共に、前記保持部から上記ケースの一側面に向かって突出するように上記付勢手段に付勢されることによって、上記ケースの一側面に沿った方向と直交する方向に移動可能な状態で、上記ベースに取り付けられていることを特徴とする請求項３記載のシャッタ開閉機構。
【請求項５】
上記付勢手段は、上記ラック部材と上記ベースの保持部との間に配置された圧縮コイルバネであることを特徴とする請求項４記載のシャッタ開閉機構。
【請求項６】
ケース内に、ディスク状記録媒体と、インナーロータと、シャッタとを有し、インナーロータの回転によってシャッタがケースの開口部を開閉するディスクカートリッジの、上記ディスク状記録媒体に対して信号の記録及び／又は再生を行うディスクドライブ装置であって、
上記ディスクカートリッジを、装置本体の外部へと引き出される引出位置と、装置本体の内部へと収納される収納位置との間で移動させるローディング機構と、
上記ローディング機構によって上記引出位置と上記収納位置との間で移動される上記ディスクカートリッジの上記インナーロータを回動させることによって上記シャッタの開閉操作を行うシャッタ開閉機構とを備え、
上記シャッタ開閉機構は、上記ローディング機構による上記ディスクカートリッジの移動に伴って上記ケースの一側面に沿って相対移動されるベースと、上記ベースの一端側に取り付けられ、上記シャッタの閉塞時に上記ケースの一側面から外部に臨む上記インナーロータの外周部に設けられた第１の被係合部と係合される第１の係合部材と、上記ベースの他端側に取り付けられ、上記シャッタの開放時に上記ケースの一側面から外部に臨む上記インナーロータの外周部に設けられた第２の被係合部と係合される第２の係合部材と、上記ベースの上記第１の係合部材と上記第２の係合部材との間に取り付けられ、上記インナーロータの上記第１の被係合部と上記第２の被係合部との間の外周部に所定の領域に亘って設けられたギヤ部と噛合されるラック部材とを有し、
上記第１の係合部材及び上記第２の係合部材は、その先端部が上記ケースの一側面に沿った方向と直交する方向に移動可能な状態、且つ、上記ケースの一側面に沿った方向に揺動可能な状態で、上記ベースに取り付けられていることを特徴とするディスクドライブ装置。
【請求項７】
上記シャッタ開閉機構は、線材が巻回された巻回部が上記ベースに保持されると共に、前記巻回部から延長された線材の両端部のうち、一端部が上記ベースに係止され、他端部が上記ケースの一側面に沿った方向と直交する方向に弾性変位可能とされた第１の捻りコイルバネ及び第２の捻りコイルバネを有し、
上記第１の係合部材及び上記第２の係合部材は、上記ベースに設けられた保持部に保持されると共に、その先端部が保持部から上記ケースの一側面に向かって突出した状態で、その基端部が上記第１の捻りコイルバネ及び上記第２の捻りコイルバネの他端部に付勢された状態で支持されることによって、その先端部が上記ケースの一側面に沿った方向と直交する方向に移動可能な状態、且つ、上記ケースの一側面に沿った方向に揺動可能な状態で、上記ベースに取り付けられていることを特徴とする請求項６記載のディスクドライブ装置。
【請求項８】
上記ラック部材は、上記ケースの一側面に沿った方向と直交する方向に移動可能な状態で、上記ベースに取り付けられていることを特徴とする請求項６記載のディスクドライブ装置。
【請求項９】
上記シャッタ開閉機構は、上記ラック部材を上記ケースの一側面に向かって付勢する付勢手段を有し、
上記ラック部材は、上記ベースに設けられた保持部に保持されると共に、前記保持部から上記ケースの一側面に向かって突出するように上記付勢手段に付勢されることによって、上記ケースの一側面に沿った方向と直交する方向に移動可能な状態で、上記ベースに取り付けられていることを特徴とする請求項８記載のディスクドライブ装置。
【請求項１０】
上記付勢手段は、上記ラック部材と上記ベースの保持部との間に配置された圧縮コイルバネであることを特徴とする請求項９記載のディスクドライブ装置。
【発明の詳細な説明】
【０００１】
【発明の属する技術分野】
本発明は、ディスクカートリッジのインナーロータを回動させることによってシャッタの開閉操作を行うシャッタ開閉機構、並びにそのようなディスクカートリッジのケース内に収納されたディスク状記録媒体に対して信号の記録及び／又は再生を行うディスクドライブ装置に関する。
【０００２】
【従来の技術】
ＣＤ（コンパクトディスク）やＤＶＤ、ＭＤといった光ディスクや光磁気ディスク等のディスク状記録媒体に対して、信号の記録及び／又は再生を行うディスクドライブ装置が、音楽や映像の記録再生に広く用いられている。さらに、このようなディスクドライブ装置は、コンピュータ等の情報処理装置の記憶装置としても用いられている。
【０００３】
このディスクドライブ装置では、例えばディスク状記録媒体がトレイに載置された後に、トレイが引出位置から記録再生位置に引き込まれる。そして、この状態で、ターンテーブルが下方から上昇し、トレイからディスク状記録媒体を浮上させて回転駆動するとともに、ディスク状記録媒体に対して光学ピックアップを半径方向に移動させながら、信号の記録再生を行なっている。
【０００４】
【発明が解決しようとする課題】
ところで、ＢＤ（Ｂｌｕ−ｒａｙ  Ｄｉｓｋ）等の高密度記録化されたディスク状記録媒体は、ダスト等による汚損を防止するために、ケース内に収納されたディスクカートリッジとして使用される。このため、ディスクカートリッジは、ケースに形成された記録再生用の開口部を非使用時にシャッタによって閉塞するとともに、記録再生時にシャッタが開口部を開放することによって、光学ヘッドによるアクセスを可能としている。
【０００５】
したがって、このようなディスクカートリッジに対して信号の記録及び／又は再生を行うディスクドライブ装置では、ディスクカートリッジが記録再生位置にローディングされるのに同期して、シャッタが開口部を完全に開放することが望ましい。すなわち、シャッタによる閉塞状態が中途半端な状態であっても、必ず開口部を完全な状態で開放させなければならない。また、記録再生の終了後にディスクカートリッジを取り出す際には、ケースの開口部をシャッタによって確実に閉塞させる必要がある。
【０００６】
そこで、本発明は、このような従来の事情に鑑みて提案されたものであり、ディスクカートリッジのシャッタの開閉操作を確実に行うことを可能としたシャッタ開閉機構、並びにそのようなシャッタ開閉機構を備えることによって、シャッタの開閉操作を確実に行うと共に、ディスクカートリッジに収納されたディスク状記録媒体に対して信号の記録及び／又は再生を適切に行うことを可能としたディスクドライブ装置を提供することを目的とする。
【０００７】
【課題を解決するための手段】
この目的を達成するために、本発明に係るシャッタ開閉機構は、ケース内にディスク状記録媒体とインナーロータとシャッタとを有してインナーロータの回転によってシャッタがケースの開口部を開閉するディスクカートリッジのインナーロータを回動させることによってシャッタの開閉操作を行うものであり、ケースの一側面に沿って相対移動されるベースと、ベースの一端側に取り付けられ、シャッタの閉塞時にケースの一側面から外部に臨むインナーロータの外周部に設けられた第１の被係合部と係合される第１の係合部材と、ベースの他端側に取り付けられ、シャッタの開放時にケースの一側面から外部に臨むインナーロータの外周部に設けられた第２の被係合部と係合される第２の係合部材と、ベースの第１の係合部材と第２の係合部材との間に取り付けられ、インナーロータの第１の被係合部と第２の被係合部との間の外周部に所定の領域に亘って設けられたギヤ部と噛合されるラック部材とを備える。そして、第１の係合部材及び第２の係合部材は、その先端部がケースの一側面に沿った方向と直交する方向に移動可能な状態、且つ、ケースの一側面に沿った方向に揺動可能な状態で、ベースに取り付けられていることを特徴としている。
【０００８】
以上のように、本発明に係るシャッタ開閉機構では、ベースに取り付けられた第１の係合部材及び第２の係合部材の先端部が、それぞれケースの一側面に沿った方向と直交する方向に移動可能な状態に加えて、ケースの一側面に沿った方向に揺動可能な状態となっていることから、ベースがケースの一側面に沿って相対移動された際のケースの一側面から外部に臨むインナーロータ側の第１の被係合部及び第２の被係合部に対するベース側の第１の係合部材及び第２の係合部材の係合状態を長く保つことができ、また、係合及び離脱時に先端部に加わる負荷を低減することができる。
【０００９】
また、本発明に係るディスクドライブ装置は、ケース内にディスク状記録媒体とインナーロータとシャッタとを有してインナーロータの回転によってシャッタがケースの開口部を開閉するディスクカートリッジのディスク状記録媒体に対して信号の記録及び／又は再生を行うものであり、ディスクカートリッジを装置本体の外部へと引き出される引出位置と、装置本体の内部へと収納される収納位置との間で移動させるローディング機構と、ローディング機構によって引出位置と収納位置との間で移動されるディスクカートリッジの上記インナーロータを回動させることによってシャッタの開閉操作を行うシャッタ開閉機構とを備える。そして、シャッタ開閉機構は、ローディング機構によるディスクカートリッジの移動に伴ってケースの一側面に沿って相対移動されるベースと、ベースの一端側に取り付けられ、シャッタの閉塞時にケースの一側面から外部に臨むインナーロータの外周部に設けられた第１の被係合部と係合される第１の係合部材と、ベースの他端側に取り付けられ、シャッタの開放時にケースの一側面から外部に臨むインナーロータの外周部に設けられた第２の被係合部と係合される第２の係合部材と、ベースの第１の係合部材と第２の係合部材との間に取り付けられ、インナーロータの第１の被係合部と第２の被係合部との間の外周部に所定の領域に亘って設けられたギヤ部と噛合されるラック部材とを有する。そして、第１の係合部材及び第２の係合部材は、その先端部がケースの一側面に沿った方向と直交する方向に移動可能な状態、且つ、ケースの一側面に沿った方向に揺動可能な状態で、ベースに取り付けられていることを特徴としている。
【００１０】
以上のように、本発明に係るディスクドライブ装置では、シャッタ開閉機構のベースに取り付けられた第１の係合部材及び第２の係合部材の先端部が、それぞれケースの一側面に沿った方向と直交する方向に移動可能な状態に加えて、ケースの一側面に沿った方向に揺動可能な状態となっていることから、ローディング機構によるディスクカートリッジの移動に伴ってベースがケースの一側面に沿って相対移動された際のケースの一側面から外部に臨むインナーロータ側の第１の被係合部及び第２の被係合部に対するベース側の第１の係合部材及び第２の係合部材の係合状態を長く保つことができ、また、係合及び離脱時に先端部に加わる負荷を低減することができる。
【００１１】
【発明の実施の形態】
以下、本発明を適用したシャッタ開閉機構及びディスクドライブ装置について、図面を参照しながら詳細に説明する。
【００１２】
図１及び図２に示すように、本発明を適用したディスクドライブ装置は、例えばＤＶＤ／ＣＤ、ＢＤの２つの互いに互換性のないフォーマットのディスク状記録媒体を使用することができる記録及び／又は再生装置である。
【００１３】
このディスクドライブ装置１は、偏平な直方体状をなす外筐１０を備えている。なお、図１及び図２に示すディスクドライブ装置１は、外筐１０の上部を開放して示している。そして、この外筐１０の前面側の開口部を閉塞するフロントパネル１１には、横長開口部１２が形成され、この横長開口部１２によって引出し可能にトレイ１３が外筐１０内に組み込まれるようになっている。
【００１４】
トレイ１３は、そのほぼ中央部にディスクカートリッジ又はベアディスクを保持するホルダ１４を有している。また、トレイ１３には、このホルダ１４を横切るように縦方向に延びる開口部１５が形成されている。そして、この開口部１５の奥側には、Ｕ字状の切込み１６が連設され、手前側には半円形の切込み１７が形成されている。
【００１５】
またトレイ１３上の奥側の側部には、ローディング機構を構成する駆動ユニット１８と、この駆動ユニット１８を駆動するためのモータ１９とが取付けられている。トレイ１３は、外筐１０の内側の両側面部に設けられた一対の段部２０によって摺動可能に支持されるとともに、駆動ユニット１８の出力端を構成するピニオンが段部２０の下側のラック２１と噛合している。これにより、トレイ１３は、横長開口部１２に対して装置本体の外部へと引き出される引出位置と、装置本体の内部へと収納される収納位置との間で移動可能となっている。
【００１６】
外筐１０の底板の上部には、図３，図４，図５及び図６に示すように、ベースユニット２５が設けられている。このベースユニット２５は、板金或いは樹脂製のシャーシから構成されており、その略中央部には、ブラケット２６を介して回転駆動部を構成するターンテーブル２７が設けられている。このターンテーブル２７は、その下側に設けられた駆動モータの回転軸に取り付けられて回転駆動される。
【００１７】
また、ベースユニット２５には、ターンテーブル２７に対して、その手前側にＤＶＤ／ＣＤ用の光学ピックアップ３１と、その奥側にＢＤ用の光学ピックアップ３２とが配置されている。
【００１８】
このうち、ＤＶＤ／ＣＤ用の光学ピックアップ３１は、ガイドロッド３３と送りネジ３４とによってその両側が支持されるとともに、送りネジ３４がステッピングモータ３５によって回転駆動されることによって、光ディスクの半径方向に変位駆動される。
【００１９】
一方、ＢＤ用の光学ピックアップ３２は、一対のガイドロッド３７、３８によって光ディスクの半径方向にスライド可能に支持されている。また、ベースユニット２５には、送りネジ３９と、この送りネジ３９を回転駆動するステッピングモータ４０とが設けられている。そして、このＢＤ用ピックアップ３２は、送りネジ３９がステッピングモータ４０により回転駆動されると、この送りネジ３９に螺合されたナット４１と一体に光ディスクの半径方向に変位駆動される。
【００２０】
このように、ディスクドライブ装置１では、ターンテーブル２７を共通化し、このターンテーブル２７に対して、ＤＶＤ／ＣＤ用の光学ピックアップ３１を手前側に配置し、ＢＤ用の光学ピックアップ３２を奥側に配置している。そして、これら２種類の光学ピックアップ３１、３２をターンテーブル２７を中心に円周方向に１８０度ずれた位置でそれぞれ光ディスクの半径方向に移動可能としている。特に、装置内に侵入する可能性のあるダストに対して弱い高密度記録フォーマット用の光学ピックアップであるＢＤ用ピックアップ３２をベースユニット２５の奥側に配置することによって、ダスト対策を可能にしている。
【００２１】
ここで、ＤＶＤ／ＣＤからなるベアディスク５２を用いる場合には、ＢＤ用ピックアップ３２がベアディスク５２に対して当らないようにするために、平面的にターンテーブル２７とは反対側に移動するようにＢＤ用ピックアップ３２の移動のためのガイドロッド３７、３８を設けている。これらガイドロッド３７、３８は、ＢＤ用ピックアップ３２がＢＤ用カートリッジ５１にアクセスし、このカートリッジ内の光ディスクに対して半径方向に移動させるために必要な部品であるが、その長さを少し長くするだけでＢＤ用ピックアップ３２の退避機構を構成している。
【００２２】
一方、ＢＤ用カートリッジ５１を用いる場合には、ＤＶＤ／ＣＤ用のピックアップ３１がＢＤ用カートリッジ５１と干渉しないように、ターンテーブル２７に対して反対側の外周側に移動するようにガイドロッド３３及び送りネジ３４の長さを長くしている。ガイドロッド３３及び送りネジ３４は、ＤＶＤ用ピックアップ３１がベアディスク５２にアクセスするために必要な部品であるが、その長さを少し長くするだけで、このＤＶＤ用ピックアップ３１の退避を可能にしている。
【００２３】
なお、２種類の光学ピックアップ３１、３２は、それぞれ独立にチルトおよび位置調整を可能にしている。また、２種類の光学ピックアップ３１、３２をスライド可能に支持するガイドロッド３３，３７，３８の何れかの主軸または副軸について、少なくとも１本を共通化することにより部品点数の削減を図ることが可能である。
【００２４】
なお、本例では、一対の光学ピックアップ３１、３２をターンテーブル２７の円周方向に対して１８０度ずれたベースユニット２５の手前側と奥側とに配置するようにしているが、２種類の光学ピックアップ３１、３２の配置関係は必ずしも１８０度に対向配置する必要はない。すなわち９０度直交する方向に２つのピックアップ３１、３２を移動可能に配置してよく、或いは両者の移動方向の交差する角度を６０度等の任意の角度に設定することも可能である。すなわち、これら２種類の光学ピックアップ３１、３２の移動方向の配置は、外筐１０或いはベースユニット２５内の他の部品の配置との関係において適宜選択できるものである。
【００２５】
また、ベースユニット２５上には、その前方の両側に一対のサポートロッド４５が立設されるとともに、その後方の両側に一対のサポートアーム４６が連設されている。そして、これらサポートロッド４５及びサポートアーム４６は、ベースユニット２５が昇降機構によって上昇すると、トレイ１３の開口部４７、４８から突出し、トレイ１３のホルダ１４に保持されたＢＤ用カートリッジ５１をその４つのコーナの部分で下面から支持する。
【００２６】
また、このディスクドライブ装置１は、図７に示すように、外筐１０の底板上に一対のチャッキングスライダ５６を備えている。これら一対のチャッキングスライダ５６は、外筐１０の両側板の内側に位置するとともに、連結板５７によって連結されている。また、この連結板５７には、長孔５８が形成されている。そして、これら一対のチャッキングスライダ５６は、連結板５７の長孔５８が外筐１０の底板上に締結されたネジを受け入れることによって、前後方向にスライド可能となっている。
【００２７】
また、一対のチャッキングスライダ５６には、それぞれ一対のカム溝５９が形成されている。このカム溝５９は、ベースユニット２５の両側にそれぞれ植設されるピン６０を受け入れるようになっている。さらに、ピン６０の先端部は、外筐１０の内側の表面に形成されている縦溝６１に係合されている。これにより、チャッキングスライダ５６が前後方向にスライドすると、ベースユニット２５が昇降動作を行うことになる。
【００２８】
また、一方のチャッキングスライダ５６の内側には、上述したローディング機構を構成するラック２１が形成されており、このラック２１がトレイ１３の駆動ユニット１８の出力端を構成するピニオンと噛合されている。これにより、トレイ１３は、モータ１９の駆動によってスライドしながら、装置本体の外部へと引き出される引出位置と、装置本体の内部へと収納される収納位置との間で移動可能となっている。
【００２９】
以上のように構成されるディスクドライブ装置１では、トレイ１３のホルダ１４にＢＤ用カートリッジ５１が載置され、このトレイ１３がローディング機構により外筐１０内に引込まれることによって、図８乃至図１０に示すように、ＢＤ用カートリッジ５１が装置本体の内部に装填された状態となる。
【００３０】
このとき、ＢＤ用カートリッジ５１は、ベースユニット２５上の一対のサポートロッド４５と一対のサポートアーム４６とによって支持される。また、これらロッド４５及びアーム４６は、何れもベースユニット２５の上昇動作によって、トレイ１３の開口部４７、４８を通してトレイ１３のホルダ１４上に臨み、ＢＤ用カートリッジ５１を正しく位置決めする。また、ＤＶＤ用ピックアップ３１は、ステッピングモータ３５及び送りネジ３４によって、ＢＤ用カートリッジ５１の外周側に位置するトレイ１３の前方部分に退避した状態となっている。また、このＢＤ用カートリッジ５１では、後述するシャッタ開閉機構６５によってシャッタ部材１００が開口部９１を開放した状態となっている。
【００３１】
そして、この状態から、ターンテーブル２７がＢＤ用カートリッジ５１に収納されたディスクを回転駆動し、ＢＤ用光学ピックアップ３２が半径方向に変位駆動しながら、このディスクに対して記録及び／又は再生を行う。
【００３２】
これに対して、ベアディスク５２がトレイ１３のホルダ１４に載置され、このトレイ１３がローディング機構により外筐１０内に引き込まれることによって、図１１，図１２及び図１３に示すように、ベアディスク１２が装置本体の内部に装填された状態となる。
【００３３】
このとき、ＢＤ用ピックアップ３２は、ステッピングモータ４０及び送りネジ３９によって、ＢＤ用カートリッジ５１の外周よりも外側のトレイ１３の後方部分に退避した状態となっている。
【００３４】
そして、この状態から、ターンテーブル２７がベアディスク１２を回転駆動し、ＤＶＤ／ＣＤ用光学ピックアップ３１が半径方向に変位駆動しながら、このベアディスク１２に対して記録及び／又は再生を行う。
【００３５】
ところで、このディスクドライブ装置１には、図７に示すように、ＢＤ用カートリッジ５１に設けられたシャッタを開閉操作するためのシャッタ開閉機構６５が設けられている。
【００３６】
このシャッタ開閉機構６５は、図１４乃至図１６に示すように、開閉ベース６６を備え、この開閉ベース６６の長手方向の両端には、一対の保持部６７が設けられている。そして、これら一対の保持部６７には、この開閉ベース６６をチャッキングスライダ５６から離間する方向に付勢するためのバネ６８が保持されている。また、開閉ベース６６の一端には、このシャッタ開閉機構６５を退避させるための突部６９が設けられている。
【００３７】
また、開閉ベース６６には、その長手方向の中間位置にラック部材７０が取り付けられている。このラック部材７０は、その長手方向の両端部に一対の係合爪７１を有している。一方、開閉ベース６６には、このラック部材７０を保持する保持穴７２と、保持穴７２の両端部に一対の係合孔７３とが設けられている。そして、このラック部材７０は、一対の係合爪７１が一対の係合孔７３に係合されることによって、保持穴７２内に保持されている。また、このラック部材７０と保持穴７２との間には、付勢手段となる一対のコイルバネ７４が配置されている。したがって、このラック部材７０は、図１７に示すように、一対のコイルバネ７４によって保持穴７２から突出する方向に付勢されており、この付勢に抗して保持穴７２内に押し込むことが可能となっている。
【００３８】
また、開閉ベース６６には、図１４、図１５及び図１６に示すように、その長手方向の前端側に第１の係合部材７５が取り付けられている。この第１の係合部材７５は、先端に向かって尖形となるピボット形状を有し、その基端側の中央部に切欠き部７５ａと、その基端側の両端部に一対の係合突部７５ｂとを有している。一方、開閉ベース６６には、この第１の係合部材７５を保持する保持孔７６が形成されている。また、開閉ベース６６の長手方向の前端側には、第１の係合部材７５を保持孔７６から突出する方向に付勢するための第１の捻りコイルバネ７７が配置されている。
【００３９】
この第１の捻りコイルバネ７７は、線材が巻回された巻回部が開閉ベース６６に設けられた保持部７８に保持されると共に、この巻回部から延長された線材の両端部のうち、一端部が開閉ベース６６に係止され、他端部が弾性変位可能な状態で第１の係合部材７５の切欠き部７５ａに係合されている。
【００４０】
したがって、第１の係合部材７５は、図１７に示すように、その先端部７５ｃが保持孔７６から突出した状態で、一対の係合突部７５ｂが保持孔７６に係合されると共に、その基端部が第１の捻りコイルバネ７７の他端部に付勢された状態で支持されることによって、その先端部７５ｃが後述するケースの一側面に沿った方向と直交する方向に移動可能な状態、且つ、ケースの一側面に沿った方向に揺動可能な状態で、開閉ベース６６に取り付けられている。すなわち、この第１の係合部材７５は、第１の捻りコイルバネ７７によって保持孔７６から突出する方向に付勢されており、この付勢に抗して保持孔７６内に押し込むことが可能となっている。さらに、この第１の係合部材７５は、その先端部７５ｃを開閉ベース６６の長手方向に揺動させることが可能となっている。また、第１の係合部材７５の先端部７５ｃには、後述するＢＤ用カートリッジ５１が装置本体の外部へと引き出された際に、インナーロータ１０の第１の被係合部１１０からの離脱を容易とするために傾斜が付けられている。
【００４１】
また、開閉ベース６６の後端側には、図１４乃至図１６に示すように、第２の係合部材７９が取り付けられている。この第２の係合部材７９は、先端に向かって尖形となるピボット形状を有し、その基端側の中央部に切欠き部７９ａと、その基端側の両端部に一対の係合突部７９ｂとを有している。一方、開閉ベース６６には、この第２の係合部材７９を保持する保持孔８０が形成されている。また、開閉ベース６６の長手方向の後端側には、第２の係合部材７９を保持孔８０から突出する方向に付勢するための第２の捻りコイルバネ８１が配置されている。
【００４２】
この第２の捻りコイルバネ８１は、線材が巻回された巻回部が開閉ベース６６に設けられた保持部８２に保持されると共に、この巻回部から延長された線材の両端部のうち、一端部が開閉ベース６６に係止され、他端部が弾性変位可能な状態で第２の係合部材７９の切欠き部７９ａに係合されている。
【００４３】
したがって、第２の係合部材７９は、図１７に示すように、その先端部７９ｃが保持孔８０から突出した状態で、一対の係合突部７９ｂが保持孔８０に係合されると共に、その基端部が第２の捻りコイルバネ８１の他端部に付勢された状態で支持されることによって、その先端部７９ｃが後述するＢＤ用カートリッジ５１のケースの一側面に沿った方向と直交する方向に移動可能な状態、且つ、ケースの一側面に沿った方向に揺動可能な状態で、開閉ベース６６に取り付けられている。すなわち、この第２の係合部材７９は、第２の捻りコイルバネ８１によって保持孔８０から突出する方向に付勢されており、この付勢に抗して保持孔８０内に押し込むことが可能となっている。さらに、この第２の係合部材７９は、その先端部７９ｃを開閉ベース６６の長手方向に揺動させることが可能となっている。また、一対の係合突部７９ｂには、この第２の係合部材７９の先端部７９ｃが揺動された際に、保持孔８０内でのストロークを稼ぐために、先端部７９ｃの傾きに対応した傾斜が付けられている。また、第２の係合部材７９の先端部７９ｃには、後述するＢＤ用カートリッジ５１のシャッタ部材１００が全開とされた後に、インナーロータ１０の第２の被係合部１０８からの離脱を容易とするために傾斜が付けられている。さらに、第２の係合部材７９の先端部７９ｃには、ベース６６の保持孔８０内に押し込まれた際に、保持孔８０の周壁に引っ掛かって戻らなくなることを防止するために面取りが施されている。
【００４４】
以上のように構成されるシャッタ開閉機構６５の開閉ベース６６は、図７に示すように、一方のチャッキングスライダ５６の上端に取り付けられる。
【００４５】
そして、このシャッタ開閉機構は、図１８に示すトレイ１３が引き出された引出位置から、図１９に示すトレイ１３が外筐１０内に引き込まれた収納位置へと移動したとき、図２０，図２１及び図２２に示すように、このトレイ１３のローディング動作に伴って、トレイ１３の後端側からトレイ１３の下側に進入し、開閉ベース６６に取り付けられたラック部材７０、第１の係合部材７５及び第２の係合部材７９が、トレイ１３に形成されたスリット６４からホルダ１４内に臨むことになる。
【００４６】
このとき、開閉ベース６６は、トレイ１３のホルダ１４に保持されたＢＤ用カートリッジ５１のケースの一側面に沿って相対移動する。したがって、この開閉ベース６６に取り付けられたラック部材７０、第１の係合部材７５及び第２の係合部材７９は、後述するＢＤ用カートリッジ５１のケースの一側面から外部に臨むインナーロータ１０１の外周部と摺接可能となっている。
【００４７】
また、トレイ１３の下面には、図２３乃至図２６に示すように、シャッタ開閉機構６５の摺動位置に臨むカム８５と突当て８６とが設けられている。カム８５は、シャッタ開閉機構６５をカートリッジ５１から離間させるように作用する。これに対して、突当て８６は、シャッタ開閉機構６５がカートリッジ５１に近接するように押圧する。
【００４８】
したがって、シャッタ開閉機構６５によるＢＤ用カートリッジ５１のシャッタを開放操作する際には、図２３及び図２４に示すように、突当て８６がシャッタ開閉機構６５の開閉ベース６６を背面側からスリット６４を通してトレイ１３のホルダ１４内に突出するように押圧する。これに対して、シャッタ開閉機構６５によるＢＤ用カートリッジ５１のシャッタの開放操作が終了した際には、図２５及び図２６に示すように、カム８５がシャッタ開閉機構６５をスリット６４からトレイ１３のホルダ１４から逃げるように後退させる。このとき、突当て８６は、開閉ベース６６に設けられた凹部８７内に受け入れられる。
【００４９】
次に、上述したシャッタ開閉機構６５によって開閉操作されるＢＤ用カートリッジ５１のシャッタ構造について説明する。
【００５０】
このＢＤ用カートリッジ５１は、図２７に示すように、互いに組み合わされる一組の上シェルと下シェルとから構成されるケースの内部に、ディスク状記録媒体である光ディスクと、中シェルであるインナーロータと、一対のシャッタ部材１００とが収納されてなる。
【００５１】
なお、図２７は、このカートリッジ５１のディスク状記録媒体の収納部よりも下側部分の構成を示したものであり、ケースの下面を構成する下側シェル９０には、上述したターンテーブル２７及びＢＤ用ピックアップ３２のアクセスを可能にする開口部９１が形成されている。
【００５２】
また、下側シェル９０の開口部９１側の一方コーナー部には、ピン９２が植設されており、このピン９２にロックレバー９３が回動可能に支持される。ロックレバー９３は、インナーロータ１０１のロックを行うためのものであり、その一端側にロック部９４と弾性片９５と、その他端側に被押圧部９６とを有している。また、下側シェル９０の内面には、一対の開閉ピン９７が突出形成されている。
【００５３】
そして、下側シェル９０上には、一対のシャッタ部材１００が配置され、これら一対のシャッタ部材１００は、インナーロータ１０１の下面にそれぞれ支点ピン１０２を介して回動可能に取り付けられている。また、これら一対のシャッタ部材１００には、スリット１０３が形成されており、このスリット１０３を下側シェル９０の開閉ピン９７と係合させることによって、インナーロータ１０１の回転に連動した開閉動作が行なわれるようになっている。
【００５４】
また、インナーロータ１０１には、下側シェル９０の開口部９１とほぼ整合する開口部１０６が形成されている。またインナーロータ１０１の外周部には、第２の被係合部１０８と、この第２の被係合部１０８に対して円周方向に若干ずれた位置にセグメントギヤ１０９と、このセグメントギヤ１０９に対して所定の角度ずれた位置に第１の被係合部１１０とが形成されている。そして、これらの第１の被係合部１１０と、セグメントギヤ１０９と、第２の被係合部１０８に対して、上述したシャッタ開閉機構６５の第１の係合部材７５と、ラック部材７０と、第２の係合部材７９とがそれぞれ係合されることになる。
【００５５】
次に、このＢＤ用カートリッジ５１をローディングして記録再生位置へ移動した際の上述したシャッタ開閉機構６５によるＢＤ用カートリッジ５１のシャッタの開放操作について説明する。
【００５６】
このディスクドライブ装置１では、カートリッジ５１を搭載したトレイ１３が外筐１０内に引き込まれると、先ず、図２８に示すように、開閉ベース６６の先端部がロックレバー９３の被押圧部９６を押圧し、このロックレバー９３がピン９２を中心として図中時計回りに回動することによって、ロック部９４がインナーロータ１０１の第２の被係合部１０８から離脱する。これにより、インナーロータ１０１のロックレバー９３によるロック状態が解除される。また、図２３及び図２４に示すように、突当て８６がシャッタ開閉機構６５の開閉ベース６６を背面側からスリット６４を通してトレイ１３のホルダ１４内に突出するように押圧する。
【００５７】
次に、図２９に示すように、この状態からトレイ１３が更に引き込まれると、開閉ベース６６の相対的な移動に伴って、第１の係合部材７５がカートリッジ５１の一側面に形成された溝部分に進入し、この第１の係合部材７５がカートリッジ５１の一側面から外部に臨むインナーロータ１０１の第１の被係合部１１０に係合する。
【００５８】
次に、図３０に示すように、この状態から更に第１の被係合部１１０と第１の係合部材７５との係合によって、インナーロータ１０１が図中時計回りに回動すると、インナーロータ１０１のセグメントギヤ１０９にラック部材７０が噛合する。また、シャッタ部材１００は、インナーロータ１０１に対して支点ピン１０２を中心に回動しながら、インナーロータ１０１の開口部１０６の開放を開始する。
【００５９】
次に、図３１に示すように、この状態からセグメントギヤ１０９とラック部材７０との噛合によって、インナーロータ１０１が下側シェル９０に対して図中時計回りに回動すると、インナーロータ１０１の第１の被係合部１１０から第１の係合部材７５が離脱する。
【００６０】
次に、図３２に示すように、セグメントギヤ１０９とラック部材７０との噛合によって、インナーロータ１０１が更に下側シェル９０に対して図中時計回りに回動すると、シャッタ部材１００がインナーロータ１０１に対して支点ピン１０２を中心に回動しながら、インナーロータ１０１の開口部１０６を大きく開放することになる。
【００６１】
次に、図３３に示すように、インナーロータ１０１が図２８に示す閉塞位置から図中時計回りに約４０度回動されると、このインナーロータ１０１の第２の被係合部１０８に第２の係合部材７９が係合する。
【００６２】
次に、図３４に示すように、この状態から更にセグメントギヤ１０９とラック部材７０との噛合によって、インナーロータ１０１が更に下側シェル９０に対して図中時計回りに回動すると、今度は第２の被係合部１０８と第２の係合部材７９との係合によって、インナーロータ１０１が下側シェル９０に対して図中時計回りに回動する。
【００６３】
次に、図３５に示すように、インナーロータ１０１が図２８に示す閉塞位置から図中時計回りに約５０度回転されると、シャッタ部材１００がインナーロータ１０１の開口部１０６を完全に開放した状態となる。
【００６４】
次に、図３６に示すように、この状態から更に第２の被係合部１０８と第２の係合部材７９との係合によって、インナーロータ１０１が下側シェル９０に対して図中時計回りに回動すると、開放されたインナーロータ１０１の開口部１０６と下側シェル９０の開口部９１とがほぼ完全に整合するようになる。このとき、ロックレバー９３のロック部９４がインナーロータ１０１の突部１１１の終端に係合することで、インナーロータ１０１が開放状態でロックされる。
【００６５】
次に、図３７に示すように、この状態からトレイ１３が更に引き込まれると、開閉ベース６６の相対的な移動に伴って、第２の係合部材７９が第２の被係合部１０８から離脱する。
【００６６】
具体的に、図３８に示す状態は、上述した図３６に示すカートリッジ５１の開口部９１が完全に開放した状態を示しており、この状態から、図３９に示すように、トレイ１３が更に引き込まれると、トレイ１３の裏側のカム８５が開閉ベース６６の突部６９を押し戻し、開閉ベース６６をスリット６４からトレイ１３のホルダ１４から逃げるように後退させる。これにより、開閉ベース６６は、カートリッジ５１から離間した状態となり、第２の係合部材７９がインナーロータ１０１の第２の被係合部１０８から離脱する。
【００６７】
しかしながら、この状態において、第２の係合部材７９は、カートリッジ５１の上下のシェル１１７、９０の切欠き１１８内に位置することになる。すなわちカートリッジ５１の投影面積の内側に位置している。
【００６８】
そして、この状態で、図４０に示すように、チャッキングスライダ５６がトレイ１３の引込み方向とは逆方向に押し出されると、このチャッキングスライダ５６のカム溝５９によってベースユニット２５が上方に押上げられる。これにより、カートリッジ５１は、トレイ１３のホルダ１４から上方へと浮上し、サポートロッド４５とサポートアーム４６とによって高精度に支持される。
【００６９】
また、第２の係合部材７９は、カートリッジ５１の切欠き１１８内を下方に移動するものの、この切欠き１１８の下面よりも上側に位置することから、両者の間に隙間が存在する。したがって、このシャッタ開閉機構６５では、カートリッジ５１に対する退避のストロークを小さくすることが可能である。
【００７０】
次に、このＢＤ用カートリッジ５１をイジェクトして取出し位置へ移動した際の上述したシャッタ開閉機構６５によるＢＤ用カートリッジ５１のシャッタの閉塞操作について説明する。
【００７１】
このシャッタ開閉機構６５によるシャッタの閉塞動作は、上述したシャッタの開放動作とは逆となる図３７から図２８に示す順序で行なわれる。
【００７２】
すなわち、このディスクドライブ装置１では、図３７に示すカートリッジ５１のシャッタ部材１００が完全に開かれた状態から、このカートリッジ５１を搭載したトレイ１３が外筐１０の外部へと引き出されると、先ず、図３６に示すように、開閉ベース６６の後端部に設けられた押圧用突部１２５がロックレバー９３の被押圧部９６を押圧し、このロックレバー９３がピン９２を中心に時計回りに回動することによって、ロック部９４がインナーロータ１０１の突部１１１の終端から離脱する。これにより、インナーロータ１０１のロックレバー９３によるロック状態が解除される。また、インナーロータ１０１の第２の被係合部１０８に第２の係合部材７９が係合する。
【００７３】
次に、図３５に示すように、この状態からトレイ１３が外筐１０の外部へと引き出されると、開閉ベース６６の相対的な移動に伴って、第２の被係合部１０８と第２の係合部材７９との係合によって、インナーロータ１０１が図中反時計回りに回動する。
【００７４】
次に、図３４に示すように、この状態から更に第２の被係合部１０８と第２の係合部材７９との係合によって、インナーロータ１０１が図中反時計回りに回動すると、インナーロータ１０１のセグメントギヤ１０９にラック部材７０が噛合する。また、シャッタ部材１００は、インナーロータ１０１に対して支点ピン１０２を中心に回動しながら、インナーロータ１０１の開口部１０６の閉塞を開始する。
【００７５】
次に、図３３に示すように、この状態からセグメントギヤ１０９とラック部材７０との噛合によって、インナーロータ１０１が下側シェル９０に対して図中反時計回りに回動すると、インナーロータ１０１の第２の被係合部１０８から第２の係合部材７９が離脱する。
【００７６】
次に、図３２及び図３１に示すように、セグメントギヤ１０９とラック部材７０との噛合によって、インナーロータ１０１が更に下側シェル９０に対して図中反時計回りに回動すると、シャッタ部材１００がインナーロータ１０１に対して支点ピン１０２を中心に回動しながら、インナーロータ１０１の開口部１０６を大きく閉塞することになる。
【００７７】
次に、図３０に示すように、インナーロータ１０１が図３７に示す開放位置から図中時計回りに約４０度回動されると、このインナーロータ１０１の第１の被係合部１１０に第１の係合部材７５が係合する。
【００７８】
次に、図２９に示すように、この状態から第１の被係合部１１０と第１の係合部材７５との係合によって、インナーロータ１０１が図３７に示す開放位置から図中反時計回りに約５０度回転されると、シャッタ部材１００がインナーロータ１０１の開口部１０６を完全に閉塞した状態となる。
【００７９】
次に、図２８に示すように、この状態から更に第１の被係合部１１０と第１の係合部材７５との係合によって、インナーロータ１０１が下側シェル９０に対して図中反時計回りに回動すると、ロックレバー９３のロック部９４がインナーロータ１０１の第２の被係合部１０８に係合することで、インナーロータ１０１が閉塞状態でロックされる。
【００８０】
ここで、図２８及び図２９に示すように、カートリッジ５１のシャッタ部材１００が完全にインナーロータ１０１の開口部１０６を閉じた状態ではなく、図３０及び図３２に示すように、インナーロータ１０１の開口部１０６が半開状態でローディングが行なわれた場合には、シャッタ開閉機構６５の前方の第１の係合部材７５が完全に機能しないで開放動作が行なわれる。すなわち、第１の係合部材７５が必ずしもインナーロータ１０１の第１の被係合部１１０に係合せず、ラック部材７０が直接インナーロータ１０１のセグメントギヤ１０９に係合して、インナーロータ１０１を時計回りに回動させる。したがって、この場合には、シャッタ部材１００が完全に閉じた状態からのローディング動作の場合に比べて、シャッタ部材１００の開放動作が早く行なわれる。そして、この状態から、開閉ベース６６がカートリッジ５１の側面を相対的に移動し、ラック部材７０がセグメントギヤ１０９から離間した後に、第２の係合部材７９がインナーロータ１０１の外周部のセグメントギヤ１０９と第２の被係合部１０８との間を摺動しながら、図３４に示すように、最終的にインナーロータ１０１の第２の被係合部１０８と係合する。そして、この状態から、更に第２の被係合部１０８と第２の係合部材７９との係合によりインナーロータ１０１が時計回りに回動することで、図３６及び図３７に示すシャッタ部材１００が開口部９１を完全に開放した状態となる。
【００８１】
したがって、このディスクドライブ装置１では、シャッタ部材１００が半開状態でカートリッジ５１がトレイ１３上に載置されてローディングが行なわれても、記録再生位置で必ずシャッタ部材１００を全開状態とすることができ、円滑な記録再生動作を行うことができる。
【００８２】
一方、図３７に示すように、カートリッジ５１のシャッタ部材１００が完全にインナーロータ１０１の開口部１０６を開いた状態ではなく、図３４及び図３５に示すように、インナーロータ１０１の開口部１０６が半閉状態でイジェクトが行なわれた場合には、シャッタ開閉機構６５の前方の第２の係合部材７９が完全に機能しないで閉塞動作が行なわれる。すなわち、第２の係合部材７９が必ずしもインナーロータ１０１の第１の被係合部１１０に係合せず、ラック部材７０が直接インナーロータ１０１のセグメントギヤ１０９に係合して、インナーロータ１０１を反時計回りに回動させる。したがって、この場合には、シャッタ部材１００が完全に開いた状態からのイジェクト動作の場合に比べて、シャッタ部材１００の閉塞動作が早く行なわれる。そして、この状態から、開閉ベース６６がカートリッジ５１の側面を相対的に移動し、ラック部材７０がセグメントギヤ１０９から離間した後に、第１の係合部材７５がインナーロータ１０１の外周部のセグメントギヤ１０９と第１の被係合部１１０との間を摺動しながら、図３０に示すように、最終的にインナーロータ１０１の第１の被係合部１１０と係合する。そして、この状態から、更に第１の被係合部１１０と第１の係合部材７５との係合によりインナーロータ１０１が反時計回りに回動することで、図２８及び図２９に示すシャッタ部材１００が開口部９１を完全に閉塞した状態となる。
【００８３】
したがって、このディスクドライブ装置１では、シャッタ部材１００が半閉状態でカートリッジ５１がトレイ１３上に載置されてイジェクトが行なわれても、引出し位置で必ずシャッタ部材１００を全閉とした状態で、カートリッジ５１を排出することができ、ディスクカートリッジ５１内の光ディスクの汚損を防止することができる。
【００８４】
ところで、上述したシャッタ開閉機構６５では、開閉ベース６６に取り付けられた第１の係合部材７５及び第２の係合部材７９が、第１の捻りコイルバネ７７及び第２の捻りコイルバネ８１によって保持孔７６，８０から突出する方向に付勢されており、この付勢に抗して保持孔７６，８０内に押し込むことが可能となっている。これに加えて、第１の係合部材７５及び第２の係合部材７９は、その先端部を開閉ベース６６の長手方向に揺動させることが可能となっている。
【００８５】
この場合、第１の係合部材７５及び第２の係合部材７９を保持孔７６，８０内に押し込むストロークを上回る高さ寸法を、第１の係合部材７５及び第２の係合部材７９に与えることができる。
【００８６】
したがって、このシャッタ開閉機構６５では、開閉ベース６６がカートリッジ５１の側面に沿って相対移動された際に、インナーロータ１０１の第１の被係合部１１０及び第２の被係合部１０８に対する第１の係合部材７５及び第２の係合部材７９の係合状態を長く保つことが可能である。
【００８７】
これにより、上述したディスクドライブ装置１では、第１の係合部材７５、ラック部材７０及び第２の係合部材７９が、それぞれインナーロータ１０１の第１の被係合部１１０、セグメントギヤ１０９及び第２の被係合部１０８に対して確実に係合することなり、円滑なシャッタ部材１００の開閉動作が可能となる。特に、トレイ１３やカートリッジ５１の部品寸法のばらつきを吸収して、シャッタ部材１００の開閉動作を確実に行うことが可能である。また、シャッタ構造の異なるカートリッジに対しても、その許容度を増加させることが可能である。
【００８８】
また、このシャッタ開閉機構６５では、インナーロータ１０１の第１の被係合部１１０及び第２の被係合部１０８に対して第１の係合部材７５及び第２の係合部材７９が係合又は離脱する際に、これら第１の係合部材７５及び第２の係合部材７９の先端部が揺動することで、これら先端部に加わる負荷を低減することが可能である。
【００８９】
したがって、上述したディスクドライブ装置１では、第１の被係合部１１０及び第２の被係合部１０８に対する第１の係合部材７５及び第２の係合部材７９の係合離脱性を高めることが可能であり、信頼性の高いシャッタの開閉操作が可能となる。さらに、このシャッタ開閉機構６５では、インナーロータ１０１の外周部を第１の被係合部１１０及び第２の被係合部１０８が摺接する際の負荷を低減させることが可能である。
【００９０】
また、第１の係合部材７５及び第２の係合部材７９は、その先端部が保持孔７６，８０から突出した状態で、一対の係合突部７５ｂ，７９ｂが保持孔７６，７９に係合されると共に、その基端部が第１の捻りコイルバネ７７の他端部に付勢された状態で支持されることによって、開閉ベース６６に取り付けられている。
【００９１】
これにより、開閉ベース６６に対する第１の係合部材７５及び第２の係合部材７９が取付が容易となる。また、これら第１の係合部材７５及び第２の係合部材７９は、一対の係合突部７５ｂ，７９ｂの形状をモールドの弾性を利用した複雑なフック形状ではなく、単純な突起形状とすることで、クリープ変形による破損の危険性を排除している。
【００９２】
また、このシャッタ開閉機構６５では、ラック部材７０とインナーロータ１０１のセグメントギヤ１０９との位置関係を両者のピッチサークルが互いに接する理想ピッチ距離とは関係なく、開閉ベース６６側のコイルバネ６８、７４によってラック部材７０をカートリッジ５１側へ押圧することで、深い噛合いを達成し、両者の間の噛合いの外れを防止している。
【００９３】
また、このシャッタ開閉機構６５では、ラック部材７０を一対の圧縮コイルバネ７４でカートリッジ５１側の一側面に向かって付勢していることから、セグメントギヤ１０９との噛合い方向に対してラック部材７０の移動方向に対する法線が一致しない場合、すなわちラック部材７０の端部がカートリッジ５１側の切欠き１１８内において傾斜した状態であっても、ラック部材７０とセグメントギヤ１０９との噛合いを達成している。
【００９４】
なお、本発明は、上述したＤＶＤ／ＣＤ、ＢＤの２つの互いに互換性のないフォーマットのディスク状記録媒体を使用するディスクドライブ装置１に限定されるものではなく、ケース内に、ディスク状記録媒体と、インナーロータと、シャッタとを有し、インナーロータの回転によってシャッタがケースの開口部を開閉するディスクカートリッジを使用するディスクドライブ装置に対して、本発明を適用したシャッタ開閉機構を広く適用することが可能である。
【００９５】
【発明の効果】
以上詳細に説明したように、本発明によれば、ベースに取り付けられた第１の係合部材及び第２の係合部材の先端部が、それぞれケースの一側面に沿った方向と直交する方向に移動可能な状態に加えて、ケースの一側面に沿った方向に揺動可能な状態となっていることから、ベースがケースの一側面に沿って相対移動された際のケースの一側面から外部に臨むインナーロータ側の第１の被係合部及び第２の被係合部に対するベース側の第１の係合部材及び第２の係合部材の係合状態を長く保つことが可能であり、また、係合及び離脱時に先端部に加わる負荷を低減することが可能である。したがって、信頼性の高いシャッタの開閉操作が可能である。
【図面の簡単な説明】
【図１】本発明を適用したディスクドライブ装置の構成を示す斜視図である。
【図２】上記ディスクドライブ装置を構成するトレイを引出した状態の斜視図である。
【図３】上記ディスクドライブ装置を構成するベースユニットの平面図である。
【図４】上記ディスクドライブ装置を構成するベースユニットの側面図である。
【図５】上記ディスクドライブ装置を構成するベースユニットの正面図である。
【図６】上記ディスクドライブ装置を構成するベースユニットの斜視図である。
【図７】上記ディスクドライブ装置のチャッキングスライダの取付状態を示す分解斜視図である。
【図８】上記ディスクドライブ装置のベースユニットにＢＤ用カートリッジを装着した状態を示す平面図である。
【図９】上記ディスクドライブ装置のベースユニットにＢＤ用カートリッジを装着した状態を示す側面図である。
【図１０】上記ディスクドライブ装置のベースユニットにＢＤ用カートリッジを装着した状態を示す斜視図である。
【図１１】上記ディスクドライブ装置のベースユニットにベアディスクを装着した状態を示す平面図である。
【図１２】上記ディスクドライブ装置のベースユニットにベアディスクを装着した状態を示す側面図である。
【図１３】上記ディスクドライブ装置のベースユニットにベアディスクを装着した状態を示す斜視図である。
【図１４】本発明を適用したシャッタ機構の外観を示す斜視図である。
【図１５】上記シャッタ開閉機構の構成を示す分解斜視図である。
【図１６】上記シャッタ開閉機構の構成を示す分解平面図である。
【図１７】上記シャッタ開閉機構の構成を示し、Ａは、その正面図、Ｂは、その底面図、Ｃは、その背面図である。
【図１８】トレイが引き出された状態を示す外観斜視図である。
【図１９】トレイが引き込まれた状態を示す外観斜視図である。
【図２０】トレイが引き出された状態におけるシャッタ開閉機構の位置を示す要部斜視図である。
【図２１】シャッタ開閉機構が下側に進入した状態を示す要部斜視図である。
【図２２】トレイが引き込まれた状態におけるシャッタ開閉機構の位置を示す要部斜視図である。
【図２３】シャッタ開閉機構を前進させた状態のトレイの裏側を示す要部斜視図である。
【図２４】突当てによるシャッタ開閉機構の前進動作をトレイの裏側から見た要部平面図である。
【図２５】シャッタ開閉機構を後退させた状態のトレイの裏側を示す要部斜視図である。
【図２６】カムによるシャッタ開閉機構の後退動作をトレイの裏側から見た要部平面図である。
【図２７】ＢＤ用カートリッジのシャッタ構造を示す分解斜視図である。
【図２８】シャッタ開閉機構によるシャッタの開閉動作を説明するための図であり、インナーロータのロックが解除された状態を示す平面図である。
【図２９】シャッタ開閉機構によるシャッタの開閉動作を説明するための図であり、インナーロータの第１の被係合部に第１の係合部材が係合した状態を示す平面図である。
【図３０】シャッタ開閉機構によるシャッタの開閉動作を説明するための図であり、第１の被係合部と第１の係合部材との係合によって、インナーロータが回動する状態を示す平面図である。
【図３１】シャッタ開閉機構によるシャッタの開閉動作を説明するための図であり、インナーロータの第１の被係合部から第１の係合部材が離脱した状態を示す平面図である。
【図３２】シャッタ開閉機構によるシャッタの開閉動作を説明するための図であり、セグメントギヤとラック部材との噛合によって、インナーロータが回動する状態を示す平面図である。
【図３３】シャッタ開閉機構によるシャッタの開閉動作を説明するための図であり、インナーロータの第２の被係合部に第２の係合部材が係合した状態を示す平面図である。
【図３４】シャッタ開閉機構によるシャッタの開閉動作を説明するための図であり、第２の被係合部と第２の係合部材との係合によって、インナーロータが回動する状態を示す平面図である。
【図３５】シャッタ開閉機構によるシャッタの開閉動作を説明するための図であり、シャッタ部材がインナーロータの開口部を完全に開放した状態を示す平面図である。
【図３６】シャッタ開閉機構によるシャッタの開閉動作を説明するための図であり、開放されたインナーロータの開口部と下側シェルの開口部とが一致した状態を示す平面図である。
【図３７】シャッタ開閉機構によるシャッタの開閉動作を説明するための図であり、インナーロータの第２の被係合部から第２の係合部材が離脱した状態を示す平面図である。
【図３８】図３６に示す状態におけるシャッタ開閉機構の要部を示す断面図である。
【図３９】シャッタ開閉機構を後退させた状態を示す要部断面図である。
【図４０】カートリッジをトレイから浮上させた状態を示す要部断面図である。
【符号の説明】
１  ディスクドライブ装置、１０  外筐、１１  フロントパネル、１２  横長開口部、１３  トレイ、１４  凹部、１５  開口部、１６  Ｕ字状切込み、１７半円形の切込み、１８  駆動ユニット、１９  モータ、２０  段部、２１  ラック、２５  ベースユニット、２６  ブラケット、２７  ターンテーブル、３１ＤＶＤ用ピックアップ（光学ヘッド）、３２  ＢＤ用ピックアップ（光学ヘッド）、３３  ガイドロッド、３４  送りネジ、３５  ステッピングモータ、３７，３８  ガイドロッド、３９  送りネジ、４０  ステッピングモータ、４１  ナット、４５  サポートロッド、４６  サポートアーム、４７，４８  開口部、５１  ＢＤ用カートリッジ、５２  ベアディスク、５６  チャッキングスライダ、５７  連結板、５８  長孔、５９  カム溝、６０  ピン、６１  縦溝、６４  スリット、６５  シャッタ開閉機構、６６  開閉ベース、６７  保持部、６８  ばね、６９  突部、７０  ラック部材、７１  係合爪、７２  係合穴、７３  係合孔、７４  コイルバネ、７５  第１の係合部材、７６  保持孔、７７  第１の捻りコイルバネ、７８  保持部、７９  第２の係合部材、８０  保持孔、８１  第２の捻りコイルバネ、８２  保持部、８５  カム、８６  突当て、８７  凹部、９０  下側シェル、９１  開口部、９２  ピン、９３  ロックレバー、９４  ロック部、９５  弾性片、９６  被押圧部、９７  開閉ピン、１００  シャッタ部材、１０１  インナーロータ、１０２  支点ピン、１０３  スリット、１０６  開口部、１０８  第２の被係合部、１０９  セグメントギヤ、１１０  第１の被係合部、１１１  突部、１１７  上側シェル、１１８  切欠き、１１９  スリット、１２０  凹部、１２５  押圧用突部
【図１】
2004310892.tif 000003
【図２】
2004310892.tif 000004
【図３】
2004310892.tif 000005
【図４】
2004310892.tif 000006
【図５】
2004310892.tif 000007
【図６】
2004310892.tif 000008
【図７】
2004310892.tif 000009
【図８】
2004310892.tif 000010
【図９】
2004310892.tif 000011
【図１０】
2004310892.tif 000012
【図１１】
2004310892.tif 000013
【図１２】
2004310892.tif 000014
【図１３】
2004310892.tif 000015
【図１４】
2004310892.tif 000016
【図１５】
2004310892.tif 000017
【図１６】
2004310892.tif 000018
【図１７】
2004310892.tif 000019
【図１８】
2004310892.tif 000020
【図１９】
2004310892.tif 000021
【図２０】
2004310892.tif 000022
【図２１】
2004310892.tif 000023
【図２２】
2004310892.tif 000024
【図２３】
2004310892.tif 000025
【図２４】
2004310892.tif 000026
【図２５】
2004310892.tif 000027
【図２６】
2004310892.tif 000028
【図２７】
2004310892.tif 000029
【図２８】
2004310892.tif 000030
【図２９】
2004310892.tif 000031
【図３０】
2004310892.tif 000032
【図３１】
2004310892.tif 000033
【図３２】
2004310892.tif 000034
【図３３】
2004310892.tif 000035
【図３４】
2004310892.tif 000036
【図３５】
2004310892.tif 000037
【図３６】
2004310892.tif 000038
【図３７】
2004310892.tif 000039
【図３８】
2004310892.tif 000040
【図３９】
2004310892.tif 000041
【図４０】
2004310892.tif 000042